(57)【要約】【課題】携帯性及び使い勝手が改良されたタオルを提供すること。【解決手段】一対の長辺２１，２２及び一対の短辺２３，２４を備え、平面視が長方形状をしたタオル２と、タオル２の一方の短辺に設けられた機能紐３とを備えるマルチタオル１であって、機能紐３は一端３２及び他端３３を有する平ゴム紐３１で構成され、タオル２の一方の短辺から平ゴム紐３１が外側へ脹らみ出るように、平ゴム紐３１の一端が短辺における一方長辺寄りの位置に縫合され、平ゴム紐３１の他端は、一端の縫合位置と短辺の長さ方向に所定の間隔を開けて短辺における他方長辺寄りの位置に縫合されている。【選択図】図１
0003230922.tif 000002
【実用新案登録請求の範囲】
【請求項１】
一対の長辺及び一対の短辺を備え、平面視が長方形状をしたタオルと、前記タオルの一方の前記短辺に設けられた機能紐とを備えるマルチタオルであって、
前記機能紐は一端及び他端を有する平ゴム紐で構成され、前記タオルの一方の前記短辺から前記平ゴム紐が外側へ脹らみ出るように、前記平ゴム紐の一端が前記短辺における一方長辺寄りの位置に縫合され、前記平ゴム紐の他端は、前記一端の縫合位置と前記短辺の長さ方向に所定の間隔を開けて前記短辺における他方長辺寄りの位置に縫合されていることを特徴とする、マルチタオル。
【請求項２】
前記タオルは、一方短辺側に、長辺方向に所定長さの平地で形成された耳部を備え、前記耳部に連続して長辺方向に延びるパイル地で形成されたタオル主部を備える、請求項１に記載のマルチタオル。
【請求項３】
前記タオルは、さらに、他方短辺側に、前記タオル主部に連続して長辺方向に所定長さの平地で形成された耳部を備える、請求項２に記載のマルチタオル。
【考案の詳細な説明】
【技術分野】
【０００１】
本考案は、携帯性が良く、また使い勝手の良いタオルに関する。
【背景技術】
【０００２】
外出時などの携帯性の向上を意図したタオルとして、特許文献１に開示される「取外し可能留め具付タオル」がある。
また、特許文献２に開示されるタオルの一端側にタオルの他端側を挿通させる挿通部を備えたタオルや、特許文献３に開示されるタオルに幅方向開口部を形成して、当該開口部にタオルの一端側を挿入するようにしたマルチタオルが公知である。
【０００３】
また、タオル地の一辺端を折り返して空間部を設け、そこに紐を通して、紐を円環状に結んだ幼児用タオルが公知である（特許文献４を参照）。
【先行技術文献】
【特許文献】
【０００４】
【特許文献１】実用新案登録第３２１３８４２号公報
【特許文献２】特開２０１２−１３０６６５号公報
【特許文献３】実用新案登録第３０９８７２８号公報
【特許文献４】実用新案登録第３２２４８８３号公報
【考案の概要】
【考案が解決しようとする課題】
【０００５】
上述した従来のタオルは、首に巻くことにより、携帯性を向上させたものであり、タオル本来の機能である拭き取りやすさ等の使い勝手が改良されたものではない。また、外出先等でタオルを洗って乾かす場合等も便利に行えるものではない。
本考案は、係る背景の下になされたもので、携帯性及び使い勝手が改良されたタオルを提供することを主たる目的とする。
【０００６】
本考案に係るタオルは、種々の用途に用いることができるので、「マルチタオル」と称してもよいし、「マルチタオルの出番」と称してもよい。また、主としてレジャーの際に用いるので「レジャータオル」と称してもよい。
【課題を解決するための手段】
【０００７】
本考案に係るマルチタオルは、一対の長辺及び一対の短辺を備え、平面視が長方形状をしたタオルと、前記タオルの一方の前記短辺に設けられた機能紐とを備えるマルチタオルであって、前記機能紐は一端及び他端を有する平ゴム紐で構成され、前記タオルの一方の前記短辺から前記平ゴム紐が外側へ脹らみ出るように、前記平ゴム紐の一端が前記短辺における一方長辺寄りの位置に縫合され、前記平ゴム紐の他端は、前記一端の縫合位置と前記短辺の長さ方向に所定の間隔を開けて前記短辺における他方長辺寄りの位置に縫合されているタオルである。
【０００８】
また、本考案に係るマルチタオルは、一方短辺側に、長辺方向に所定長さの平地で形成された耳部を備え、前記耳部に連続して長辺方向に延びるパイル地で形成されたタオル主部を備えていてもよい。
さらに、本考案に係るマルチタオルは、他方短辺側に、前記タオル主部に連続して長辺方向に所定長さの平地で形成された耳部を備えていてもよい。
【考案の効果】
【０００９】
本考案においては、タオルの一方短辺に平ゴム紐で構成された機能紐が備えられている。よって、この機能紐により、タオルを折り畳んだ状態にして保持したり、広げた状態のタオルを木の枝等に掛けたり、タオルを身体等に装着したりと、幅広く活用できる。
また、機能紐は、平ゴム紐で構成され、タオルの短辺に縫合されているから、機能紐は違和感なくタオルと一体化しており、タオル使用時に違和感を生じることはない。
【図面の簡単な説明】
【００１０】
【図１】図１は、本考案の一実施形態に係るマルチタオル１の平面図である。
【図２】図２は、マルチタオル１を腰にぶら下げた状態の図解図である。
【図３】図３は、マルチタオル１をまるめて平ゴム紐３１で止めて吊けられるようにした状態の図解図である。
【図４】図４は、マルチタオル１を干した状態の図解図である。
【考案を実施するための形態】
【００１１】
図１は、本考案の一実施形態に係るマルチタオル１の平面図である。
マルチタオル１は、タオル２と、タオル２に設けられた機能紐３とを含む。タオル２は、対をなす左長辺２１及び右長辺２２と、対をなす上短辺２３及び下短辺２４で囲まれた平面視が長方形状をしている。タオル２は、上短辺２３側に、長辺方向に所定長さの平地で形成された耳部２５が備えられていてもよい。そして、耳部２５に連続して長辺方向に延びるパイル地で形成されたタオル主部２６を備える。さらに、タオル主部２６の下方側、すなわち下短辺２４側に、タオル主部２６に連続して長辺方向に所定長さの平地で形成された耳部２７が備えられていてもよい。
【００１２】
本実施形態に係るタオル２は、一例として、短辺２３，２４の長さが約３５ｃｍ、長辺２１，２２の長さが約７６ｃｍの一般的なタオルの大きさであってもよい。あるいは、短辺２３，２４の長さを約２５ｃｍ、長辺２１，２２の長さを約６０ｃｍとした、やや小ぶりの大きさのタオルであってもよい。
本実施形態に係る機能紐３は、平ゴム紐３１で構成されている。平ゴム紐３１は、一例として、幅１２〜１５ｍｍのものが用いられている。平ゴム紐３１の長さは、一例として、３０〜６０ｃｍであってもよい。平ゴム紐３１の一端３２は、タオル２の上短辺２３における左長辺２１寄りの位置Ａに縫合されている。また、平ゴム紐３１の他端３３は、タオル２の上短辺２３における右長辺２２寄りの位置Ｂに縫合されている。位置Ａと位置Ｂとの間隔、すなわち上短辺２３に沿った間隔の長さは、１０〜２０ｃｍ程度としてもよい。その結果、平ゴム紐３１はタオル２の上短辺２３から外側へ、一例として円弧状に脹らみ出ている。
【００１３】
本考案に係るマルチタオル１は、タオル２の上短辺２３に縫合された平ゴム紐３１を用いて、例えば、図２に示すように、マルチタオル１を腰ベルトに吊るして用いることができる。また、図３に示すように、タオル２をまるめ（折り畳み）、平ゴム紐３１で止めることにより、まるめたタオル２を腰ベルト等に掛けて携行することもできる。さらに、図４に示すように、アウトドアで、洗ったマルチタオルを棒や木の枝等に掛けて干すこともできる。
【００１４】
本考案に係るマルチタオルは、上記の実施形態に限定されるものではなく、請求項記載の範囲内において種々の変更が可能である。
【符号の説明】
【００１５】
１    マルチタオル
２    タオル
３    機能紐
２１    左長辺
２２    右長辺
２３    上短辺
２４    下短辺
２５、２７    耳部
２６    タオル主部
３１    平ゴム紐
３２    一端
３３    他端
【図１】
0003230922.tif 000003
【図２】
0003230922.tif 000004
【図３】
0003230922.tif 000005
【図４】
0003230922.tif 000006